(57)【要約】【課題】降水量が多くても、或いは張出し量が大きな庇であっても、庇板の両側より溢れ出た雨水が庇板の下面に回り込んで随所で滴下しないようにする。【解決手段】庇板２は押出成形により形成された複数本の中空の板材を幅方向に連ねて構成される。前記複数本の中空の板材は、中間に位置する複数本の中間板材３と、両側に位置する２本の側板材３１，３２とから成る。各中間板材３は側端面を突き合わせるように互いに連結することが可能な連結部６，７を両側端部に有する。各側板材３１，３２は両側位置の中間板材３ａ，３ｂの外側端面に内側端面を突き合わせるように前記連結部６，７と連結することが可能な連結部６，７を内側端部に有するとともに、外側端部には全長にわたる上面開口の樋溝部３５が形成されている。【選択図】図３
2015068064.tif 000002
【特許請求の範囲】
【請求項１】
押出成形により形成された複数本の中空の板材を幅方向に連ねて構成される庇板であって、前記複数本の中空の板材は、中間に位置する複数本の中間板材と、両側に位置する２本の側板材とから成り、各中間板材は側端面を突き合わせるように互いに連結することが可能な連結部を両側端部に有し、各側板材は両側位置の中間板材の外側端面に内側端面を突き合わせるように前記連結部と連結することが可能な連結部を内側端部に有するとともに、外側端部には全長にわたる上面開口の樋溝部が形成されて成る庇板。
【請求項２】
押出成形により形成された複数本の中空の板材を幅方向に連ねて構成される庇板の後端部が、建物の外壁面に取り付けられた保持具より全幅にわたって保持されて成る庇であって、前記複数本の中空の板材は、中間に位置する複数本の中間板材と、両側に位置する２本の側板材とから成り、各中間板材は側端面を突き合わせるように互いに連結することが可能な連結部を両側端部に有し、各側板材は両側位置の中間板材の外側端面に内側端面を突き合わせるように前記連結部と連結することが可能な連結部を内側端部に有するとともに、外側端部には全長にわたる上面開口の樋溝部が形成されており、上記の庇板の前端部には前縁板が全幅にわたって装着されて成る庇。
【請求項３】
前記前縁板は、庇板の全幅にわたる上面開口の樋溝部を有し、その樋溝部の開口面は庇板の上面の前端の下方に位置し、庇板を構成する全ての中間板材および側板材の中空内部と両側板材の樋溝部とは庇板の前端において前記前縁板の樋溝部に連通している庇。
【請求項４】
請求項３に記載された庇であって、前記前縁板の樋溝部の両端は塞ぎ板により塞がれ、前縁板の樋溝部には竪樋を連通させている庇。
【請求項５】
前記前縁板は、樋溝部が仕切板により前溝と後溝とに区分され、前記仕切板は、上端部が庇板の前端部にねじ止めされ、下端部には前記前溝と後溝とを連通させる連通孔が形成されており、前記前溝の開口面は庇板の上面の前端の下方に位置し、全ての中間板材および側板材の中空内部と両側板材の樋溝部とは庇板の前端において前記後溝に連通している請求項３または４に記載された庇。
【発明の詳細な説明】
【技術分野】
【０００１】
この発明は、押出成形により形成された複数本の中空の板材を幅方向に連ねて構成される庇板と、その庇板を用いて構成される庇とに関する。
【背景技術】
【０００２】
従来、その種の庇は、図１０に示すように、幅方向の中間に位置する複数本の中空の板材（以下「中間板材」という。）９１と、両側に位置する２本の中空の板材（以下「側板材」という。）９２，９３とで庇板９が構成されている。各中間板材９１の両側端部には、図１１に示すように、側端面を突き合わせるように互いに連結することが可能な第１、第２の各連結部９４，９５がそれぞれ形成されている。一方の側板材９２の内側端部には、一側位置の中間板材９１ａの外側端面に内側端面を突き合わせるように中間板材９１ａの第１の連結部９４と連結することが可能な第２の連結部９５が、また、他方の側板材９３の内側端部には、他側位置の中間板材９１ｂの外側端面に内側端面を突き合わせるように中間板材９１ｂの第２の連結部９５と連結することが可能な第１の連結部９４が、それぞれ形成されている。上記した庇板９の後端部は、建物の外壁面に取り付けられた長手状の保持具１００により全幅にわたって保持されている（例えば、特許文献１参照）。
【０００３】
庇板９の前端部には前縁板９６が全幅にわたって装着されている。この前縁板９６は、庇板９を構成する全ての中間板材９１および側板材９２，９３の前端面に当接させてネジ止めされるもので、全幅にわたる上面開口の樋溝部９７を有している。樋溝部９７はその両端が塞ぎ板９８ａ，９８ｂにより塞がれている。各塞ぎ板９８ａ，９８ｂには開口部９９が設けてあり、樋溝部９７に流れ込んだ雨水は各塞ぎ板９８ａ，９８ｂの開口部９９より外部へ放出される。
【先行技術文献】
【特許文献】
【０００４】
【特許文献１】特開２０１０−１８５２１７号公報
【発明の概要】
【発明が解決しようとする課題】
【０００５】
上記した構成の庇において、庇板９の上面に沿って流下した雨水は、庇板９の前端において前縁板９６の樋溝部９７に流れ込むが、降水量が多いと、流下途中で庇板９の両側より溢れ出し、庇板９の下面に回り込んで随所で滴下する。また、張出し量の大きい庇では、降水量がそれ程でなくても、庇板９の上面に沿って流下した雨水は、前端部近くになると、流量が増して両側より溢れ出し、庇板９の下面に回り込んで随所で滴下する。
【０００６】
この発明は、上記した問題に着目してなされたもので、降水量が多くても、また張出し量が大きな庇であっても、庇板の両側より溢れ出た雨水が庇板の下面に回り込んで随所で滴下することのない庇板と、その庇板を用いて構成された庇とを提供することを目的とする。
【課題を解決するための手段】
【０００７】
この発明による庇板は、押出成形により形成された複数本の中空の板材を幅方向に連ねて構成されている。前記複数本の中空の板材は、中間に位置する複数本の中間板材と、両側に位置する２本の側板材とから成り、各中間板材は側端面を突き合わせるように互いに連結することが可能な連結部を両側端部に有する。各側板材は両側位置の中間板材の外側端面に内側端面を突き合わせるように前記連結部と連結することが可能な連結部を内側端部に有するとともに、外側端部には全長にわたる上面開口の樋溝部が形成されている。
【０００８】
上記の庇板を用いて構成されるこの発明による庇は、押出成形により形成された複数本の中空の板材を幅方向に連ねて構成される庇板の後端部が、建物の外壁面に取り付けられた保持具により全幅にわたって保持されて成るものである。前記複数本の中空の板材は、中間に位置する複数本の中間板材と、両側に位置する２本の側板材とから成り、各中間板材は側端面を突き合わせるように互いに連結することが可能な連結部を両側端部に有する。各側板材は両側位置の中間板材の外側端面に内側端面を突き合わせるように前記連結部と連結することが可能な連結部を内側端部に有するとともに、外側端部には全長にわたる上面開口の樋溝部が形成されている。上記の庇板の前端部には前縁板が全幅にわたって装着されている。
【０００９】
この発明による庇板を用いて構成された庇では、庇板を構成する両側板材の外側端部に上面開口の樋溝部が全長にわたって形成されているので、降水量が多い場合や庇の張出し量が大きい場合でも、庇板の両側より溢れ出た雨水は樋溝部に流れ込むことで、雨水が庇板の下面に回り込んで随所で滴下することがない。
【００１０】
この発明の好ましい実施態様においては、前記前縁板は、庇板の全幅にわたる上面開口の樋溝部を有している。その樋溝部の開口面は庇板の上面の前端の下方に位置し、庇板を構成する全ての中間板材および側板材の中空内部と両側板材の樋溝部とは庇板の前端において前記前縁板の樋溝部に連通している。
【００１１】
上記した実施態様の庇によると、庇板の上面に沿って流下した雨水は前端より前縁板の樋溝部に流れ込む。また、中間板材および側板材の中空内部を流下した雨水は各板材の前端より前縁板の樋溝部に流れ込む。さらに、両側板材の樋溝部に流れ込んだ雨水は樋溝部を流下し、前端より前縁板の樋溝部に流れ込む。
【００１２】
この発明の一実施態様においては、前記前縁板の樋溝部の両端は塞ぎ板により塞がれ、前縁板の樋溝部には竪樋を連通させている。この実施態様によると、樋溝部に流れ込んだ雨水は竪樋を通して外部へ導出される。なお、竪樋を用いることに代えて、両端の塞ぎ板に開口部を設けてもよく、その場合は開口部より雨水が外部へ放出される。
【００１３】
この発明の好ましい実施態様においては、前記前縁板は、樋溝部が仕切板により前溝と後溝とに区分されている。前記仕切板は、上端部が庇板の前端部にねじ止めされ、下端部には前記前溝と後溝とを連通させる連通孔が形成されている。前記前溝の開口面は庇板の上面の前端の下方に位置し、全ての中間板材および側板材の中空内部と両側板材の樋溝部とは庇板の前端において前記後溝に連通している。
【００１４】
この実施態様によると、庇板の上面に沿って流下した雨水は前端より前縁板の樋溝部の前溝に流れ込み、中間板材および側板材の中空内部を流下した雨水は各板材の前端の開口部分より前縁板の樋溝部の後溝に流れ込む。また、両側板材の樋溝部に流れ込んだ雨水は樋溝部を流下し、前端の開放部分より前縁板の樋溝部の後溝に流れ込む。前溝と後溝とは連通孔により連通しているので、雨水の流入量が前溝と後溝とが違っても、水位が同一になるように雨水が前溝と後溝との間を行き来し、樋溝部からの溢水を抑止し得る。
【発明の効果】
【００１５】
この発明によると、庇板の両側より溢れ出た雨水は側板材の樋溝部に流れ込むので、雨水が庇板の下面に回り込んで随所で滴下することがない。
【図面の簡単な説明】
【００１６】
【図１】この発明の一実施例である庇の中間部分を省略した平面図である。
【図２】図１の庇の側面図である。
【図３】庇板の中間部分を省略した正面図である。
【図４】中間板材の第１の連結部と側板材の第２の連結部との連結方法を示す正面図である。
【図５】図１のＡ−Ａ線に沿う断面図である。
【図６】図１のＢ−Ｂ線に沿う断面図である。
【図７】他の実施例の塞ぎ板が用いられた庇の側面図である。
【図８】他の実施例の前縁板の一部分を示す平面図である。
【図９】図８のＣ−Ｃ線に沿う断面図である。
【図１０】従来の庇の斜視図である。
【図１１】従来の庇板の中間部分を省略した正面図である。
【発明を実施するための形態】
【００１７】
図１および図２は、この発明の一実施例である庇１の外観を示している。図示例の庇１は、建物の外壁面１０から前方へ張り出すように設置される庇板２と、建物の外壁面１０に固着され庇板２を前下がりの姿勢で庇板２の後端部を保持する保持具４と、庇板２の前端部に全幅にわたって装着される前縁板５とで構成されている。庇板２を構成する各中間板材３および各側板材３１，３２や前縁板５はアルミニウムの押出成形により形成されている。なお、図２において、４８は保持具４の両端面に装着される目隠し用の端板、８は前縁板５の後述する樋溝部５０の両端を塞ぐ塞ぎ板である。
【００１８】
庇板２は、図１および図３に示すように、側端面を互いに突き合わせるようにして幅方向へ連結される複数の中間板材３と、両側位置の中間板材３ａ，３ｂの外側端面に内側端面を突き合わせるようにして幅方向へ連結される側板材３１，３２とで構成されている。各中間板材３および各側板材３１，３２は、上下に対向する上板部２１と下板部２２との間が全長にわたって中空となっている。
【００１９】
各中間板材３の内部には、左右対称位置に２箇所づつ補強のためのリブ３３ａ，３３ｂが一体に設けられている。また、内側のリブ３３ａには必要に応じて鉄板製の補強板（図示せず）を縦向きにして挿入することが可能な取付溝３４が長さ方向に沿って形成されている。補強板は、長さ方向の強度を保つためのもので、中間板材３の厚さおよび長さに応じた幅および長さのものが用いられる。なお、図３において、３８はリブ３３ａ，３３ｂも一体形成されたビス止め孔であり、後述する前縁板５を庇板２の前端部にビス止めするのに用いられる。
【００２０】
各中間板材３は、一方の側端部に第１の連結部６を、他方の側端部に第２の連結部７を、それぞれ有している。第１の連結部６と第２の連結部７とは側端面を突き合わせるように互いに連結することが可能な構造のものである。
また、各側板材３１，３２のうち、一方の側板材３１は内側端部に第２の連結部７を有し、他方の側板材３２は内側端部に第１の連結部６を有している。中間板材３の第１の連結部６は他の中間板材３または側板材３１の第２の連結部７と互いに連結することが可能である。中間板材３の第２の連結部７は他の中間板材３または側板材３２の第１の連結部６と互いに連結することが可能である。
【００２１】
図４は、一側位置の中間板材３ａの第１の連結部６の構成と一方の側板材３１の第２の連結部７の構成とを示している。なお、中間板材３の第２の連結部７は上記の側板材３１の第２の連結部７と同様の構成のものであり、また、他方の側板材３１の第１の連結部６は上記の中間板材３の第１の連結部６と同様の構成のものであり、ここでは説明を省略する。
【００２２】
第１の連結部６は、上板部２１の側端縁を下方へ直角に折り曲げて形成された嵌合片６１と、嵌合片６１の下端部を斜め上方へ折り返して形成された係合片６２と、係合片６２の先端部を折り曲げて形成された当接部６３とを一連に備えたものである。
第２の連結部７は、下板部２２の側端縁を上方へ直角に折り曲げて形成された嵌合片７１と、嵌合片７１の上端部を斜め下方へ折り返して形成された係合片７２と、係合片７２の先端部を折り曲げて形成された当接部７３とを一連に備えたものである。
【００２３】
中間板材３ａの第１の連結部６と側板材３１の第２の連結部７とを連結するには、図４（１）に示すように、中間板材３ａと側板材３１とを上下にずらせかつ側縁部分を重ねた状態に位置決めした後、図４（２）に示すように、中間板材３ａを押し下げるか、側板材３１を押し上げるかして、第１の連結部６の嵌合片６１と第２の連結部７の嵌合片７１とを嵌合させると、図４（３）に示すように、双方の係合片６２，７２は先端の当接部６３，７３が突き当たった状態で係合する。なお、図４（３）に示す係合状態で中間板材３ａまたは側板材３１を上記と反対方向へ押圧すると、係合状態が外れて中間板材３ａと側板材３１とが分離する。
【００２４】
各側板材３１，３２の外側端部には、上面開口の樋溝部３５がそれぞれ全長にわたって形成されている。この樋溝部３５は、庇板２の両側より溢れ出た雨水を流入させて前縁板５の後述する樋溝部５０まで導く。図示例の樋溝部３５は下板部２２の側端縁を上板部２１の位置まで上方へ直角に折り曲げて形成されているが、雨水を流入し易くするために、上拡がりの形状に形成してもよい。また、図示例の樋溝部３５は溝形状が矩形状であるが、これに限らず、湾曲した形状であってもよい。
【００２５】
図５は、庇板２の後端部を全幅にわたって保持する保持具４の構成を示している。図示例の保持具４は、建物の外壁面１０に沿ってアンカーボルト１１０により止め固定される背板部４１と、背板部４１の前面のほぼ中央部に保持溝４０を挟んで上下に対向するように庇板２の全幅に対応する長さに一体形成された一対の保持板部４２，４３とを備えている。背板部４１および保持板部４２，４３はアルミニウムの押出成形により形成されており、各保持板部４２，４３は庇板２が前下がりの姿勢になるようにやや下向きに形成されている。背板部４１には、上側の保持板部４２の上方位置と上下の保持板部４２，４３の間とに、アンカーボルト１１０が挿入されるボルト挿通孔４１ａがそれぞれ一定間隔毎に横一列に設けられている。
【００２６】
前記保持溝４０は、庇板２を構成する各中間板材３および各側板材３１，３２の後端部を前方より差し込むことが可能な溝幅を有し、前面が全長にわたって開放されている。上側の保持板部４２はわずかに上開きとなるように、また、下側の保持板部４３はわずかに下開きとなるように、それぞれ背板部４１の前面より突出しており、上下の保持板部４２，４３間の保持溝４０は、溝底から溝開口に向けて次第に広がった溝形状になっている。
【００２７】
保持具４は、庇板２の後端部を上方および下方より覆って後述するボルト４６Ａおよびナット４６Ｂなどを外部から見えないようにするための上カバー４４および下カバー４５を備えている。上カバー４４や下カバー４５はアルミニウムの押出型材である。なお、保持具４の両側端面は目隠し用の端板４８により塞がれている（図１および図２）。
【００２８】
上下の各保持板部４２，４３には、長さ方向に沿う複数の対向する位置に、各保持板部４２，４３を上下に貫通するボルト止め孔４２ａ，４３ａがそれぞれ形成されるとともに、庇板２を構成する各側板材３１，３２および各中間板材３の後端部であって保持板部４２，４３の各ボルト止め孔４２ａ，４３ａに対応する位置に、ボルト止め孔４２ａ，４３ａに連通するボルト通し孔３６，３７が各板材の上板部２１および下板部２２を貫通して形成されている。
【００２９】
前記のボルト４６Ａは、上側の保持板部４２の上方よりボルト止め孔４２ａへ挿入され、上側の保持板部４２のボルト止め孔４２ａ、側板材３１，３２または中間板材３のボルト通し孔３６，３７、および下側の保持板部４３のボルト止め孔４３ａを一連に貫通する。下側の保持板部４３の下方へ突出したボルト４６Ａの先端部にはナット４６Ｂがネジ込まれて締め付けられる。
【００３０】
各保持板部４２，４３は可撓性を有し、ボルト４６Ａおよびナット４６Ｂによる内向きの締付力が作用したとき、内側へわずかに撓んで弾性変形するようにその厚みや突出長さが設定されている。ナット４６Ｂを締め付けた状態のとき、上下の保持板部４２，４３は内側へわずかに撓んで弾性変形するもので、各保持板部４２，４３は庇板２を構成する側板材３１，３２や中間板材３の上板部２１および下板部２２にかなり広範囲にわたり接触して各板材を挟持する。
【００３１】
なお、図５において、１１１は上カバー４４の上端縁と建物の外壁面１０との間に庇板２の全幅にわたって嵌め込まれるコーキング材、１１２は上カバー４４の下端縁と庇板２の上面との間に庇板２の全幅にわたって嵌め込まれるコーキング材である。これらのコーキング材１１１，１１２によって雨水の浸入が阻止される。また、４７は前記端板４８，４９をビス止めするために上下の各カバー４４，４５に設けられたビス止め孔である。
【００３２】
図６は、庇板２の前端部に全幅にわたって装着される前縁板５を示している。この実施例の前縁板５は、庇板２の全幅にわたる上面開口の樋溝部５０を有している。この実施例の前縁板５は、樋溝部５０が仕切板５１により前溝５２と後溝５３とに区分されている。前溝５２の開口面は庇板２の上面の前端の下方に位置し、庇板２の上面を流下した雨水が前溝５２に流れ込むようになっている。仕切板５１は、上端部が庇板２の前端部にビス５４により止着されている。各ビス５４は、庇板２を構成する各中間板材３および各側板材３１，３２に形成されているビス止め孔３８にネジ込まれる。
【００３３】
仕切板５１と庇板２の前端との間には、各中間板材３および各側板材３１，３２の中空内部を流下してきた雨水と両側板材３１，３２の樋溝部３５を流下してきた雨水とを流出させる隙間５５が形成されている。前記隙間５５は後溝５３の上方に位置しており、中間板材３および側板材３１，３２の中空内部を流下してきた雨水と側板材３１，３２の樋溝部３５を流下してきた雨水とが隙間５５を介して連通する後溝５３に流れ込むようになっている。
【００３４】
仕切板５１の下端部には前溝５２と後溝５３とを連通させる複数個の連通孔５６が一定間隔毎に形成されている。前溝５２に溜まる雨水と後溝５３に溜まる雨水とは、液面の高い方から低い方へ流れ込むもので、これにより樋溝部５０からの溢水を抑止している。前溝５２および後溝５３より成る樋溝部５０の両端は塞ぎ板８により塞がれ、樋溝部５０の前溝５２には竪樋５７を連通させている。
なお、この実施例の塞ぎ板８は、図２に示すように、樋溝部５０に溜まった雨水が塞ぎ板８より溢れ出ないように樋溝部５０の開口面にまで達する高さのものを用いているが、図７に示すように、樋溝部５０に溜まった雨水が過剰なときには両端部より溢れさせて放出し得るように高さの低い溢水部８１を設けてもよい。
【００３５】
また、この実施例では、側板材３１，３２の樋溝部３５は庇板２の前端において隙間５５を介して前縁板５の樋溝部５０と連通させているが、図８および図９に示すように、仕切板５１の両端部を側板材３１，３２の樋溝部３５に相当する幅だけに切り欠いて樋溝部３５の前端を開放することもできる。図８および図９において、Ｘは仕切板５１が切り欠かれた開放部分を示しており、側板材３１，３２の樋溝部３５に流入した雨水が多量であっても、雨水は開放部分Ｘより前縁板５の樋溝部５０へ速やかに導出させることが可能である。
【００３６】
上記した構成の庇板２を用いて構成された庇１では、庇板２を構成する両側板材３１，３２の外側端部に全長にわたる上面開口の樋溝部３５が形成されているので、降水量が多い場合や庇１の張出し量が大きい場合でも、庇板２の両側より溢れ出た雨水は樋溝部３５に流れ込むので、雨水が庇板２の下面に回り込んで随所で滴下することがない。
【００３７】
庇板２の上面に沿って流下した雨水は前端より前縁板５の樋溝部５０に流れ込み、中間板材３および側板材３１，３２の中空内部を流下した雨水は各板材の前端より前縁板５の樋溝部５０に流れ込む。また、両側板材３１，３２の樋溝部３５に流れ込んだ雨水は樋溝部３５を流下し、前端より前縁板５の樋溝部５０に流れ込む。
【００３８】
上記した実施例では、庇板２の上面に沿って流下した雨水は前端より前縁板５の樋溝部５０の前溝５２に流れ込み、中間板材３および側板材３１，３２の中空内部を流下した雨水は各板材の前端の開口部分より前縁板５の樋溝部５０の後溝５３に流れ込む。また、両側板材３１，３２の樋溝部３５に流れ込んだ雨水は樋溝部３５を流下し、前端の開放部分より前縁板５の樋溝部５０の後溝５３に流れ込む。前溝５２と後溝５３とは連通孔５６により連通しているので、雨水の流入量が前溝５２と後溝５３とで違っても、水位が同じになるように雨水が前溝５２と後溝５３との間で行き来するので、樋溝部５０から雨水が溢れ出るのを抑止し得る。
【符号の説明】
【００３９】
１    庇
２    庇板
３    中間板材
４    保持具
５    前縁板
６，７  連結部
８    塞ぎ板
３１，３２  側板材
３５  樋溝部
５０  樋溝部
５１  仕切板
５２  前溝
５３  後溝
５６  連通孔
【図１】
2015068064.tif 000003
【図２】
2015068064.tif 000004
【図３】
2015068064.tif 000005
【図４】
2015068064.tif 000006
【図５】
2015068064.tif 000007
【図６】
2015068064.tif 000008
【図７】
2015068064.tif 000009
【図８】
2015068064.tif 000010
【図９】
2015068064.tif 000011
【図１０】
2015068064.tif 000012
【図１１】
2015068064.tif 000013